(57)【要約】  本発明は、物品の防汚性を維持又は回復することができる繊維用有益組成物に関し、さらにそのような組成物を製造及び使用するためのプロセスに関する。そのような物品は、繊維製品であってもよい。その組成物は：ａ）アミノカルボキシレート類、ホスホネート類、多官能置換された芳香族キレート化剤、及びこれらの混合物から成る群から選択されるキレート化剤；ｂ）プロトン化可能なアミン類、アルキル第四級アンモニウム化合物、カチオン性シリコーン類、カチオン性ポリマー類及びこれらの混合物から成る群から選択される色抜き剤；ｃ）アニオン性ポリマー類、変性ポリアミンポリマー類及びこれらの混合物から成る群から選択される懸濁剤；及びｄ）有機酸類、無機酸類及びこれらの混合物から成る群から選択されるｐＨ緩衝剤；を含んで成る。【特許請求の範囲】
【請求項１】
ａ）０．００１％〜６０％、好ましくは０．１％〜６０％、より好ましくは０．５％〜５０％、最も好ましくは１％〜４０％のキレート化剤と、
ｂ）０．００１％〜５０％、好ましくは１％〜４０％、より好ましくは０．５％〜４０％、最も好ましくは１％〜３０％の色抜き剤と、
ｃ）０．０１％〜４０％、好ましくは０．０１％〜４０％、より好ましくは０．１％〜３５％、最も好ましくは０．５％〜３０％の懸濁剤と、
ｄ）任意のｐＨ緩衝剤と
を含む組成物であって、
前記組成物の残部がキャリア及び／又は補助剤成分である、組成物。
【請求項２】
ａ．）０．００１％〜３０％、好ましくは０．５％〜２５％、より好ましくは０．０１％〜２０％のキレート化剤と、
ｂ．）０．００１％〜２５％、好ましくは０．０５％〜２０％、より好ましくは０．０１％〜１５％の色抜き剤と、
ｃ．）０．０１％〜４０％、好ましくは０．１％〜３５％、より好ましくは０．５％〜３０％の懸濁剤と、
ｄ．）任意のｐＨ緩衝剤と
を含む、請求項１に記載の組成物であって、
前記組成物の残部が少なくとも１つの洗剤補助剤を含む、組成物。
【請求項３】
前記ｐＨ緩衝剤が、ニート製品のｐＨを１〜９、好ましくは１．５〜８、より好ましくは２〜７にするのに十分な量で存在する、請求項１または２に記載の組成物。
【請求項４】
前記任意のｐＨ緩衝剤が、有機酸類、無機酸類及びこれらの混合物から成る群から選択される、請求項１〜３のいずれか一項に記載の組成物。
【請求項５】
ａ．）前記キレート化剤が、アミノカルボキシレート類、ホスホネート類、多官能基置換型芳香族キレート化剤、及びこれらの混合物から成る群から選択され、
ｂ．）前記色抜き剤が、プロトン化可能なアミン類、アルキル第四級アンモニウム化合物、カチオン性シリコーン類、カチオン性ポリマー類及びこれらの混合物から成る群から選択され、
ｃ．）前記懸濁剤が、アニオン性ポリマー類、変性ポリアミンポリマー類及びこれらの混合物から成る群から選択され、そして
ｄ．）前記ｐＨ緩衝剤が、有機酸類、無機酸類及びこれらの混合物から成る群から選択される、請求項１〜４のいずれか一項に記載の組成物。
【請求項６】
表面又は物品を処理する方法であって、
ａ．）任意により前記表面又は物品を洗浄及び／又はすすぐ工程と、
ｂ．）繊維製品の少なくとも一部を請求項１〜５のいずれか１項に記載の組成物と接触させる工程と、
ｃ．）任意により前記表面又は物品を洗浄及び／又はすすぐ工程と
を含む方法。
【請求項７】
前記表面又は物品が繊維製品である、請求項６に記載の方法。
【請求項８】
前記接触工程が、浸潤、噴霧、パディング、染着及びこれらの組み合わせから選択される操作を含む、請求項６に記載の方法。
【請求項９】
請求項６に記載の方法によって製造された処理済みの物品又は表面。
【発明の詳細な説明】
【技術分野】
【０００１】
本発明は、物品の防汚性を維持又は回復することができる有益組成物に関し、さらにそのような組成物を製造及び使用するためのプロセスに関する。
【背景技術】
【０００２】
効用及び清浄化の理由により、物品、例えば衣類及び亜麻布のような繊維を含む物品は、一般に、そのような物品にある程度の防汚性を提供する組成物で処理される。残念ながら、このような処理組成物の有効性は、一時的及び／又は限定的なものである。理論に束縛されるものではないが、本出願人らは、このような有効性の喪失は、物品の防汚性コーティングに汚れを引き付ける材料が付着することによると考える。
【発明の開示】
【発明が解決しようとする課題】
【０００３】
したがって、繊維製品の防汚性を維持又は回復することができる繊維用有益組成物及びそのような組成物を製造及び使用するためのプロセスに対するニーズがある。
【課題を解決するための手段】
【０００４】
本発明は、物品の防汚性を維持又は回復することができる繊維用有益組成物及びそのような組成物を製造及び使用するためのプロセスに関する。そのような物品は、繊維製品であってもよい。
【発明を実施するための最良の形態】
【０００５】
定義
本明細書に使用されるとき、用語「繊維製品」は、特に指示しない限り、ファイバ、糸、織物及び／若しくは衣類又はそれらを含有する製品を包含する。
【０００６】
本明細書で使用する時、請求項に使用される、冠詞「ａ」および「ａｎ」は、特許請求される、または記載されるものの１つ以上を意味すると理解される。
【０００７】
特に記載のない限り、構成成分又は組成物の濃度は全て、前記構成成分又は組成物の活性レベルに関するものであり、市販の供給源類に存在し得る不純物類、例えば残留溶媒類又は副生成物類は除外される。
【０００８】
百分率及び比率はすべて、特に指示がない限り、重量で計算される。百分率及び比率はすべて、特に指示がない限り、組成物全体を基準にして計算される。
【０００９】
本明細書を通じて記載されるあらゆる最大数値限定は、あたかもこうしたより小さい数値限定が本明細書に明確に記載されているかのように、より小さい全ての数値限定を包含すると理解されるべきである。本明細書全体を通じて記載されるあらゆる最小数値限定は、それよりも大きいあらゆる数値限定を、あたかもこうしたそれよりも大きい数値限定が本明細書に明確に記載されているかのように包含する。本明細書全体を通じて記載されるあらゆる数値範囲は、こうしたより広い数値範囲内に入る、それよりも狭いあらゆる数値範囲を、あたかもこうしたそれよりも狭い数値範囲が全て本明細書に明確に記載されているかのように包含する。
【００１０】
引用する全ての文書は、関連部分において本明細書に参考として組み込まれるが、いかなる文書の引用も、それが本発明に関して先行技術であるということの承認として解釈すべきではない。
【００１１】
有益組成物
本出願人らの有益組成物は、いかなる形態をとってもよく、例えば、一般処理組成物、洗剤、洗浄添加剤又はすすぎ添加剤であってもよい。このような有益組成物が一般処理組成物の形態をとる場合、このような組成物は、約０．１％〜約６０％、約０．５％〜約５０％、又はさらには約１％〜約４０％のキレート化剤、約０．１％〜約５０％、約０．５％〜約４０％、又はさらには約１％〜約３０％の色抜き剤及び約０．０１％〜約４０％、約０．１％〜約３５％、又はさらには約０．５％〜約３０％の懸濁剤及び任意のｐＨ緩衝剤及び任意の１つ以上の洗浄補助剤を含んでもよい。
【００１２】
このような有益組成物が洗剤組成物の形態をとる場合、このような組成物は、約０．００１％〜約３０％、約０．０５％〜約２５％、又はさらには約０．０１％〜約２０％のキレート化剤、約０．００１％〜約２５％、約０．０５％〜約２０％、又はさらには約０．０１％〜約１５％の色抜き剤及び約０．０１％〜約４０％、約０．１％〜約３５％、又はさらには約０．５％〜約３０％の懸濁剤及び少なくとも１つの洗剤補助剤を含んでもよい。
【００１３】
このような有益組成物が洗浄添加剤又はすすぎ添加剤の形態をとる場合、このような組成物は、約０．１％〜約６０％、約０．５％〜約５０％、又はさらには約１％〜約４０％のキレート化剤、約０．１％〜約５０％、約０．５％〜約４０％、又はさらには約１％〜約３０％の色抜き剤及び約０．０１％〜約４０％、約０．１％〜約３５％、又はさらには約０．５％〜約３０％の懸濁剤及びニート製品のｐＨを約１〜約９、約１．５〜約８、又はさらには約２〜約７にするのに十分な量のｐＨ緩衝剤を含んでもよい。
【００１４】
上述のいずれの組成物のいずれの残部もキャリアであってもよい。
【００１５】
本発明の１つの態様では、ｐＨ緩衝剤はクエン酸を含む。
【００１６】
本出願人の発明の１つの態様では、このような有益組成物は繊維製品がこのような繊維用有益組成物と接触したときに前記繊維製品の防汚性を維持又は回復することができる。
【００１７】
本出願人の発明の１つの態様では、そのような繊維用有益組成物は、１つ以上の補助剤材料を含有しなく、その補助材料は、例えば、漂白活性化剤、界面活性剤、ビルダー、染料移行阻害剤、分散剤、酵素及び酵素安定剤、触媒性金属コンプレックス、高分子分散剤、粘土及び土除去／再付着防止剤、光沢剤、石鹸泡抑制剤、染料、香料、構造伸縮化剤、織物用柔軟剤、キャリア、ヒドロトロープ、加工助剤及び／又は色素である。
【００１８】
有用なキレート剤としては、アミノカルボキシレート類、ホスホネート類、多官能置換芳香族キレート化剤、及びこれらの混合物から成る群より選択されるキレート化剤が挙げられる。有用なアミノカルボキシレート類としては、エチレンジアミンテトラアセテート類、Ｎ−ヒドロキシエチレンジアミントリアセテート類、ニトリロトリアセテート類、エチレンジアミンテトラプロピオネート類、トリエチレンテトラアミンヘキサアセテート類、ジエチレントリアミンペンタアセテート類、及びエタノールジグリシン類、このようなアミノカルボキシレートのアルカリ金属塩類、アンモニウム塩類及び置換アンモニウム塩類が挙げられる。有用なホスホネート類としては、アミノホスホネート類が挙げられる。有用な多官能芳香族キレート化剤としては、１−ヒドロキシ−２，４−ジスルホ−６−カルボキシベンゼン、１，３，５−トリヒドロキシ−２−カルボキシベンゼン、１，３，５−トリス［カルボキシエチルエーテル］−２−カルボキシベンゼン、２，４−ジスルホ−１，５−ジヒドロベンゼン、１，４−ビス［カルボキシメチルエーテル］−２，５−ジカルボキシベンゼン及びこれらの混合物が挙げられる。多官能置換芳香族キレート化剤の追加の例は、米国特許第３，８１２，０４４号に見出すことができる。
【００１９】
有用な色抜き剤としては、プロトン化可能なアミン類、アルキル第四級アンモニウム化合物、カチオン性シリコーン類、カチオン性ポリマー類及びこれらの混合物からなる群より選択されるカチオン性材料が挙げられる。好適なプロトン化可能なアミンとしては、以下の式Ｉを有するプロトン化可能なアミンが挙げられ：
【化１】
2009523852.tif 000002
式中、添字ｍは０、１、２、又は３であり；添字ｎは１、２、３、又は４であり、好ましくはｎは２又は３であり、より好ましくはｎは２であり、各Ｒは、Ｃ１〜Ｃ２２アルキル、Ｃ１〜Ｃ２２のヒドロキシアルキル基又はベンジル基から独立して選択され；各Ｒ１は、Ｃ１１〜Ｃ２２の直鎖アルキル、Ｃ１１〜Ｃ２２の分枝鎖アルキル、Ｃ１１〜Ｃ２２の直鎖アルケニル、又はＣ１１〜Ｃ２２の分枝鎖アルケニルから独立して選択され；各Ｑは、カルボニル部分、カルボキシル部分、又はアミド部分を含んでもよい。
【００２０】
好適なアルキル化第四級アンモニウム化合物類（クワット類（quats））としては、モノ−アルキルクワット類、ジ−アルキルクワット類、トリ−アルキルクワット類、及びテトラ−アルキルクワット類、並びにある種のカチオン性界面活性剤類が挙げられる。好適なモノ−アルキルクワット類（quats）、ジ−アルキルクワット類、トリ−アルキルクワット類、及びテトラ−アルキルクワット類は、典型的に以下の式ＩＩを有しており：
【化２】
2009523852.tif 000003
式中、添字ｍは０、１、２、３、又は４であり；添字ｎは１、２、３、又は４であり、好ましくはｎは２又は３であり、より好ましくはｎは２であり、各Ｒは、Ｃ１〜Ｃ２２アルキル、Ｃ１〜Ｃ２２のヒドロキシアルキル基又はベンジル基から独立して選択され；各Ｒ１は、Ｃ１１〜Ｃ２２の直鎖アルキル、Ｃ１１〜Ｃ２２の分枝鎖アルキル、Ｃ１１〜Ｃ２２の直鎖アルケニル、又はＣ１１〜Ｃ２２の分枝鎖アルケニルから独立して選択され；Ｘ−は、クロライド、ブロミド又はメチルサルフェートのような水溶性のアニオン種であり、Ｑは、カルボニル部分、カルボキシル部分、又はアミド部分を含んでもよい。
【００２１】
好適なカチオン性シリコーン類としては、アミン誘導化合物によって官能化されたシリコーン類、及びカチオン性シリコーンポリマー類が挙げられる。アミン誘導化合物によって官能化された好適なシリコーン類としては、以下の式ＩＩＩを有するアミノシリコーン類が挙げられ：
（Ｒ１Ｒ２Ｒ３ＳｉＯ１／２）ｐ（Ｒ４Ｒ４ＳｉＯ２／２）ｍ［Ｒ４Ｓｉ（Ｌ−ＮＲ５Ｒ６）Ｏ２／２］ａ［Ｓｉ（Ｋ−ＮＲ７Ｒ８）Ｏ３／２］ｂ［Ｒ４ＳｉＯ３／２］ｃ
式ＩＩＩ
式中、ｍ、ａ、ｂ、及びｃは、０〜６０００の整数から独立して選択されることができ；ｐ＝２＋ｂ＋ｃであり；Ｒ１、Ｒ２、Ｒ３、Ｒ４、Ｒ５、Ｒ６、Ｒ７、Ｒ８、Ｌ、Ｋは、分子内のケイ素又は窒素原子に結合した様々な側鎖であってもよい。上の式ＩＶでは、Ｒ１、Ｒ２、Ｒ３、Ｒ４は、以下から独立して選択されることができる：
１．）Ｃ１〜Ｃ２２の直鎖又は分枝鎖の、置換又は非置換のヒドロカルビル部分；又は
２．）−Ｏ−Ｒ１１、−Ｏ−Ｒ１２、−Ｏ−Ｒ１３、及び−Ｏ−Ｒ１４であって、式中、Ｒ１１、Ｒ１２、Ｒ１３、及びＲ１４が、Ｈ、又はＣ１〜Ｃ２２の直鎖又は分枝鎖の、置換又は非置換のヒドロカルビル部分から独立して選択されることができる。
【００２２】
以上の式ＩＩＩでは、Ｌ及びＫは、Ｃ１〜Ｃ２２の直鎖又は分枝鎖の、置換又は非置換のヒドロカルビル部分から、独立して選択されることができる。１つの態様では、Ｌ及びＫは、Ｃ１〜Ｃ１２の直鎖又は分枝鎖の、置換又は非置換のヒドロカルビル部分から、独立して選択されることができる。別の態様では、Ｌ及びＫは、Ｃ１〜Ｃ４の直鎖又は分枝鎖の、置換又は非置換のヒドロカルビル部分から、独立して選択されることができる。別の態様では、Ｌ及びＫは、メチレン、エチレン、プロピレン、２−メチルプロピレン、ブチレン、オクタデシレン、又は３−（２，２’，６，６’−テトラメチル−４−オキシ−ピペリジル）プロピルから独立して選択されることができる。以上の式ＩＩＩでは、Ｒ５、Ｒ６、Ｒ７、及びＲ８は、Ｈ、又はＣ１〜Ｃ２２の直鎖又は分枝鎖の、置換又は非置換のヒドロカルビル部分から独立して選択されることができる。
【００２３】
以上の式ＩＩＩで使用するとき、「ＳｉＯｎ／２」は、酸素原子とケイ素原子との比率を意味しており、すなわち、ＳｉＯ１／２は、１つの酸素原子が２つのケイ素原子の間で共有されることを意味する。
【００２４】
好適なカチオン性シリコーンポリマー類としては、以下の式ＩＶを有するカチオン性シリコーンポリマー類が挙げられ：
【化３】
2009523852.tif 000004
式中［ＣＡＰ］は、主鎖末端又は末端切断（truncation）の単位であることができ：ｍは１〜５０の整数であることができ、各Ｚ単位は下の式Ｖを有してもよい：
【化４】
2009523852.tif 000005
式Ｖにおいて：
ｘは０又は１であることができ；
Ｗは、以下の式ＶＩを有するシロキサン単位であることができ：
【化５】
2009523852.tif 000006
ここで、式ＶＩにおいて、各Ｒ１単位は、Ｃ１〜Ｃ２２の直鎖又は分枝鎖の、置換又は非置換のヒドロカルビル部分であることができ；
上の式Ｖにおいて、Ｒは下の式ＶＩＩを有することができ：
―［（Ｌ）ｙ―（Ｒ２）ｙ―（Ｌ）ｙ］―Ｂ―［（Ｌ）ｙ―（Ｒ２）ｙ―（Ｌ）ｙ］―
式ＶＩＩ
上の式ＶＩＩにおいて：
ｙは０又は１であることができ；
Ｌは、連結単位を含有する好適な炭素であることができ、好適な連結単位としては、これらに限定するものではないが、アルキレン部分、アクリレート部分、及びアミド含有部分が挙げられ；
各Ｂは、少なくとも１つの第二級、第三級、又は第四級のアミノ部分を含む単位であることができ；
Ｒ２は、下の式ＶＩＩＩを有する連結単位であることができ：
【化６】
2009523852.tif 000007
式ＶＩＩＩにおいて：
各Ｒ３は、Ｃ２〜Ｃ１２の直鎖又は分枝鎖のアルキレン部分から独立して選択されることができ、好ましくは各Ｒ３は、独立して、エチレン、１，３−プロピレン、又は１，２−プロピレンであり；
各Ｒ４は、水素、又はＣ１〜Ｃ２２の直鎖又は分枝鎖の、置換又は非置換のヒドロカルビル部分から独立して選択されることができ、１つの態様では、各Ｒ４は、水素、又はＣ１〜Ｃ２２の直鎖又は分枝鎖のアルキル部分；Ｃ１〜Ｃ２２のシクロアルキル部分；Ｃ１〜Ｃ２２の直鎖又は分枝鎖のフルオロアルキル部分；Ｃ２〜Ｃ２２の直鎖又は分枝鎖のアルケニル部分；Ｃ６〜Ｃ２２のアリール部分；又はＣ７〜Ｃ２２のアルキレンアリール部分から独立して選択されることができ；別の態様では、各Ｒ４は、水素、又はＣ１〜Ｃ１０の直鎖又は分枝鎖のアルキル部分であることができ；そして
Ｚは、０〜５０の整数であることができる。
【００２５】
好適なカチオン性界面活性剤としては、モノＣ６〜Ｃ１６、Ｃ６〜Ｃ１０のＮ−アルキル又はアルケニルアンモニウム界面活性剤から成る群から選択される第四級アンモニウム界面活性剤が挙げられ、この場合、残っているＮ位は、メチル、ヒドロキシエチル又はヒドロキシプロピル基で置換される。１つの態様では、カチオン性界面活性剤は、第四級コリンエステル類のような、第四級アンモニウムアルコールのＣ６〜Ｃ１８アルキル又はアルケニルエステルであってもよい。別の態様では、カチオン性界面活性剤は下の式ＩＸを有する：
【化７】
2009523852.tif 000008
式中、Ｒ１は、Ｃ８〜Ｃ１８ヒドロカルビル、Ｃ８〜１４アルキル、又はさらにはＣ８、Ｃ１０又はＣ１２のアルキルであり、Ｘ−は、クロライド、ブロミド又はメチルサルフェートのような水溶性のアニオン種である。
【００２６】
有用な懸濁剤としては、アニオン性ポリマー類、変性ポリアミンポリマー類及びこれらの混合物が挙げられる。好適なアニオン性ポリマー類としては、ランダムポリマー類、ブロックポリマー類及びこれらの混合物が挙げられる。このようなポリマー類は、典型的には第１の部分及び第２の部分を約１００：１〜約１：５の比で含む。好適な第１の部分としては、少なくとも１つのカルボン酸基を含むモノエチレン型不飽和のＣ３〜Ｃ８モノマー類、このようなモノマー類の塩類、及びこれらの混合物から誘導される部分が挙げられる。好適なモノマー類の非限定例としては、アクリル酸、メタクリル酸、β−アクリルオキシプロピオン酸、ビニル酢酸、ビニルプロピオン酸、クロトン酸、エタクリル酸、α−クロロアクリル酸、α−シアノアクリル酸、マレイン酸、無水マレイン酸、フマル酸、イタコン酸、シトラコン酸、メサコン酸、メチレンマロン酸、それらの塩類、及びこれらの混合物から選択される、モノエチレン型不飽和のＣ３〜Ｃ８モノカルボン酸類及びＣ４〜Ｃ８ジカルボン酸類が挙げられる。本出願人の発明の一態様においては、好適な第１の部分は、アクリル酸、メタクリル酸、マレイン酸及びこれらの混合物から成る群より全て選択されるモノマー類を含む。
【００２７】
好適な第２の部分としては、次のものが挙げられる：
１．）式Ｒ−Ｙ−Ｌ及びＲ−Ｚを有する変性不飽和モノマー類から誘導される部分であって、式中、
ａ．）ＲはＣ（Ｘ）Ｈ＝Ｃ（Ｒ１）−から成る群より選択されることができ、式中、
（ｉ）Ｒ１は、Ｈ、又はＣ１〜Ｃ４のアルキルであることができ；
（ｉｉ）Ｘは、Ｈ、ＣＯ２Ｈ、又はＣＯ２Ｒ２であることができ、式中、Ｒ２は水素、アルカリ金属類、アルカリ土類金属類、アンモニウム及びアミン塩基類、飽和のＣ１〜Ｃ２０のアルキル、Ｃ６〜Ｃ１２のアリール、並びにＣ７〜Ｃ２０のアルキルアリールであることができ；
ｂ．）ＹはＣＨ２−、−ＣＯ２−、−ＯＣＯ−、及び−ＣＯＮ（Ｒａ）−、−ＣＨ２ＯＣＯ−から成る群より選択されることができ；式中、ＲａはＨ又はＣ１〜Ｃ４のアルキルであることができ；
ｃ．）Ｌは、水素、アルカリ金属類、アルカリ土類金属類、アンモニウム及びアミン塩基類、飽和Ｃ１〜Ｃ２０のアルキル、Ｃ６〜Ｃ１２アリール、及びＣ７〜Ｃ２０のアルキルアリールから成る群より選択されることができ；
ｄ．）Ｚは、Ｃ６〜Ｃ１２アリール、及びＣ７〜Ｃ１２のアリールアルキルから成る群より選択されることができる。
【００２８】
本出願人の発明の別の態様では、
ａ．）Ｒは、Ｃ（Ｘ）Ｈ＝Ｃ（Ｒ１）−から成る群より選択されることができ、式中、
（ｉ）Ｒ１はＨであることができ、
（ｉｉ）ＸはＨ、又はＣＯ２Ｈであることができ；
ｂ．）Ｙは−ＣＯ２−であることができ；
ｃ．）Ｌは、水素、アルカリ金属類、Ｃ６〜Ｃ１２のアリール、及びＣ７〜Ｃ２０のアルキルアリールから成る群より選択されることができ；
ｄ．）ＺはＣ６〜Ｃ１２のアリール及びＣ７〜Ｃ１２のアリールアルキルから成る群より選択されることができる。
【００２９】
本出願人の発明のさらに別の態様では、可変部分Ｒ、Ｒ１、Ｙ、Ｌ及びＺは直前に記載した通りであることができ、可変部分ＸはＨであることができる。
【００３０】
このような第１及び第２の部分を含む好適なアニオン性ポリマー類は、典型的に、重量平均分子量が約１０００ダルトン〜約１００，０００ダルトンである。
【００３１】
好適な第２の部分の別の種類としては、Ｃ１〜Ｃ４の炭素のアルコキシド類及びこれらの混合物から成る群より選択される、１〜１００の繰り返し単位を含有するエチレン型不飽和のモノマー類から誘導される部分が挙げられる。このような不飽和モノマーの例は式Ｊ−Ｇ−Ｄによって表され、式中、
１．）ＪはＣ（Ｘ）Ｈ＝Ｃ（Ｒ１）−から成る群より選択されることができ、式中、
ａ．）Ｒ１はＨ、又はＣ１〜Ｃ４のアルキルであることができ；
ｂ．）ＸはＨ、ＣＯ２Ｈ、又はＣＯ２Ｒ２であることができ、式中、Ｒ２は水素、アルカリ金属類、アルカリ土類金属類、アンモニウム及びアミン塩基類、飽和Ｃ２〜Ｃ２０のアルキル、Ｃ６〜Ｃ１２のアリール、Ｃ７〜Ｃ２０のアルキルアリールであることができ；
２．）Ｇは、Ｃ１〜Ｃ４のアルキル、−Ｏ−、−ＣＨ２Ｏ−、−ＣＯ２−から成る群より選択されることができ、
３．）Ｄは、
ａ．）−ＣＨ２ＣＨ（ＯＨ）ＣＨ２Ｏ（Ｒ３Ｏ）ｄＲ４；
ｂ．）−ＣＨ２ＣＨ［Ｏ（Ｒ３Ｏ）ｄＲ４］ＣＨ２ＯＨ；
ｃ．）−ＣＨ２ＣＨ（ＯＨ）ＣＨ２ＮＲ５（Ｒ３Ｏ）ｄＲ４；
ｄ．）−ＣＨ２ＣＨ［ＮＲ５（Ｒ３Ｏ）ｄＲ４］ＣＨ２ＯＨ、及びこれらの混合物からなる群より選択されることができ；式中、
Ｒ３はエチレン、１，２−プロピレン、１，３−プロピレン、１，２−ブチレン、１，４−ブチレン、及びこれらの混合物から成る群より選択されることができ；
Ｒ４は、Ｈ、Ｃ１〜Ｃ４のアルキル、Ｃ６〜Ｃ１２のアリール及びＣ７〜Ｃ２０のアルキルアリールから成る群より選択されることができるキャップ基（capping unit）であり；
Ｒ５は、Ｈ、Ｃ１〜Ｃ４のアルキルＣ６〜Ｃ１２のアリール及びＣ７〜Ｃ２０のアルキルアリールから成る群より選択されることができ；
下付き添字ｄは１〜１００の整数であることができる。
【００３２】
本出願人の発明の別の態様では、
１．）Ｊは、Ｃ（Ｘ）Ｈ＝Ｃ（Ｒ１）−から成る群より選択されることができ、式中、
ａ．）Ｒ１は、Ｈ、又はＣ１〜Ｃ４のアルキルであることができ；
ｂ．）Ｘは、Ｈ又はＣＯ２Ｈであることができ；
２．）Ｇは、−Ｏ−、−ＣＨ２Ｏ−、−ＣＯ２−から成る群より選択されることができ、
３．）Ｄは、
ａ．）−ＣＨ２ＣＨ（ＯＨ）ＣＨ２０（Ｒ３Ｏ）ｄＲ４；
ｂ．）−ＣＨ２ＣＨ［Ｏ（Ｒ３Ｏ）ｄＲ４］ＣＨ２ＯＨ、及びこれらの混合物から成る群より選択されることができ；式中、
Ｒ３はエチレンであることができ；
Ｒ４は、Ｈ、及びＣ１〜Ｃ４のアルキルからなる群より選択される末端保護基（capping unit）であることができ；
ｄは１〜１００の整数であることができる。
【００３３】
本出願人の発明のさらに別の態様では、可変部分Ｊ、Ｄ、Ｒ３及びｄは直前に記載した通りであることができ、可変部分Ｒ１及びＸはＨであることができ、Ｇは−ＣＯ２−であることができ、Ｒ４はＣ１〜Ｃ４のアルキルであることができる。
【００３４】
このような第１及び第２の部分を含む好適なアニオン性ポリマー類は、典型的には、重量平均分子量が約２０００ダルトン〜約１００，０００ダルトンである。
【００３５】
他の好適なアニオン性ポリマーとしては、本明細書で前述した第１の部分を含み、かつ典型的には重量平均分子量が約１０００ダルトン〜約５０，０００ダルトンである、グラフトコポリマー類が挙げられる。このようなポリマー類においては、前述した第１の部分は典型的にＣ１〜Ｃ４の炭素のポリアルキレンオキシド上でグラフト化されている。
【００３６】
好適な変性ポリアミンポリマー類としては、式：
Ｖ（ｎ+１）ＷｍＹｎＺ
又は
Ｖ（ｎ−ｋ+１）ＷｍＹｎＹ’ｋＺを有する変性ポリアミン類が挙げられ、
式中、ｍは０〜約４００の整数であることができ；ｎは０〜約４００の整数であることができ、ｋはｎ以下であることができ、ここで
ｉ）Ｖ単位は次式を有する末端基であることができ：
【化８】
2009523852.tif 000009
ｉｉ）Ｗ単位は次式を有する主鎖単位であることができ：
【化９】
2009523852.tif 000010
ｉｉｉ）Ｙ及びＹ’は次式を有する分枝単位であることができ：
【化１０】
2009523852.tif 000011
および
ｉｖ）Ｚ単位は次式を有する末端基であることができ：
【化１１】
2009523852.tif 000012
式中、
Ｒ単位は、Ｃ２〜Ｃ１２のアルキレン、Ｃ４〜Ｃ１２のアルケニレン、Ｃ３〜Ｃ１２のヒドロキシアルキレン、Ｃ４〜Ｃ１２のジヒドロキシ−アルキレン、Ｃ８〜Ｃ１２のジアルキルアリーレン、−（Ｒ１Ｏ）ｘＲ１−、−（Ｒ１Ｏ）ｘＲ５（ＯＲ１）ｘ−、−（ＣＨ２ＣＨ（ＯＲ２）ＣＨ２Ｏ）ｚ−（Ｒ１Ｏ）ｙＲ１（ＯＣＨ２ＣＨ（ＯＲ２）ＣＨ２）ｗ−、−Ｃ（Ｏ）（Ｒ４）ｒＣ（Ｏ）−、−ＣＨ２ＣＨ（ＯＲ２）ＣＨ２−、及びこれらの混合物から成る群から選択されることができ；式中
Ｒ１は、Ｃ２〜Ｃ３のアルキレン及びこれらの混合物であることができ；
Ｒ２は、水素、−（Ｒ１Ｏ）ｘＢ、及びこれらの混合物であることができ；
式中、少なくとも１つのＢは、−（ＣＨ２）ｑ−ＳＯ３Ｍ、−（ＣＨ２）ｐＣＯ２Ｍ、−（ＣＨ２）ｑ（ＣＨＳＯ３Ｍ）ＣＨ２ＳＯ３Ｍ、−（ＣＨ２）ｑ−（ＣＨＳＯ２Ｍ）ＣＨ２ＳＯ３Ｍ、−（ＣＨ２）ｐＰＯ３Ｍ、−ＰＯ３Ｍ、及びこれらの混合物から成る群から選択されることができ、あらゆる残りのＢ部分は、水素、Ｃ１〜Ｃ６のアルキル、−（ＣＨ２）ｑ−ＳＯ３Ｍ、−（ＣＨ２）ｐＣＯ２Ｍ、−（ＣＨ２）ｑ（ＣＨＳＯ３Ｍ）ＣＨ２ＳＯ３Ｍ、−（ＣＨ２）ｑ−（ＣＨＳＯ２Ｍ）ＣＨ２ＳＯ３Ｍ、−（ＣＨ２）ｐＰＯ３Ｍ、−ＰＯ３Ｍ、及びこれらの混合物から成る群から選択されることができ；
Ｒ４は、Ｃ１〜Ｃ１２のアルキレン、Ｃ４〜Ｃ１２のアルケニレン、Ｃ８〜Ｃ１２のアリールアルキレン、Ｃ６〜Ｃ１０のアリーレン、及びこれらの混合物であることができ；
Ｒ５は、Ｃ１〜Ｃ１２のアルキレン、Ｃ３〜Ｃ１２のヒドロキシ−アルキレン、Ｃ４〜Ｃ１２のジヒドロキシアルキレン、Ｃ８〜Ｃ１２のジアルキルアリーレン、−Ｃ（Ｏ）−、−Ｃ（Ｏ）ＮＨＲ６ＮＨＣ（Ｏ）−、−Ｒ１（ＯＲ１）−、−Ｃ（Ｏ）（Ｒ４）ｒＣ（Ｏ）−、−ＣＨ２ＣＨ（ＯＨ）ＣＨ２−、−ＣＨ２ＣＨ（ＯＨ）ＣＨ２Ｏ（Ｒ１Ｏ）ｙＲ１−ＯＣＨ２ＣＨ（ＯＨ）ＣＨ２−、及びこれらの混合物であることができ；
Ｒ６は、Ｃ２〜Ｃ１２のアルキレン又はＣ６〜Ｃ１２のアリーレンであり；
Ｘは、少なくとも１つの主鎖窒素が四級化又は酸化されていることを条件として、水溶性アニオンであることができ、
Ｅ単位は、窒素のいずれかのＥ単位が水素であるときに前記窒素が同時にＮ−酸化物ではないことを条件として、水素、Ｃ１〜Ｃ２２のアルキル、Ｃ３〜Ｃ２２のアルケニル、Ｃ７〜Ｃ２２のアリールアルキル、Ｃ２〜Ｃ２２のヒドロキシアルキル、−（ＣＨ２）ｐＣＯ２Ｍ、−（ＣＨ２）ｑＳＯ３Ｍ、−ＣＨ（ＣＨ２ＣＯ２Ｍ）−ＣＯ２Ｍ、−（ＣＨ２）ｐＰＯ３Ｍ、−（Ｒ１Ｏ）ｘＢ、−Ｃ（Ｏ）Ｒ３、及びこれらの混合物から成る群から選択されることができ；
Ｒ１は、Ｃ２〜Ｃ３のアルキレン及びこれらの混合物であることができ；
Ｒ３は、Ｃ１〜Ｃ１８のアルキル、Ｃ７〜Ｃ１２のアリールアルキル、Ｃ７〜Ｃ１２のアルキル置換アリール、Ｃ６〜Ｃ１２のアリール、及びこれらの混合物であることができ；
少なくとも１つのＢは、−（ＣＨ２）ｑ−ＳＯ３Ｍ、−（ＣＨ２）ｐＣＯ２Ｍ、−（ＣＨ２）ｑ（ＣＨＳＯ３Ｍ）ＣＨ２ＳＯ３Ｍ、−（ＣＨ２）ｑ−（ＣＨＳＯ２Ｍ）ＣＨ２ＳＯ３Ｍ、−（ＣＨ２）ｐＰＯ３Ｍ、−ＰＯ３Ｍ、及びこれらの混合物から成る群から選択されることができ、あらゆる残りのＢ部分は、水素、Ｃ１〜Ｃ６のアルキル、−（ＣＨ２）ｑ−ＳＯ３Ｍ、−（ＣＨ２）ｐＣＯ２Ｍ、−（ＣＨ２）ｑ（ＣＨＳＯ３Ｍ）ＣＨ２ＳＯ３Ｍ、−（ＣＨ２）ｑ−（ＣＨＳＯ２Ｍ）ＣＨ２ＳＯ３Ｍ、−（ＣＨ２）ｐＰＯ３Ｍ、−ＰＯ３Ｍ、及びこれらの混合物から成る群から選択されることができ；
Ｍは、電荷バランスを満足するのに十分な量の水素又は水溶性カチオンであることができ；そして
式中、添字の値は、次の通りである：下付き添字ｐは、１〜６の整数であることができ、下付き添字ｑは、０〜６の整数であることができ、下付き添字ｒは、０又は１の値を持つことができ、下付き添字ｗは、０又は１の値を持つことができ、下付き添字ｘは、１〜１００の整数であることができ、下付き添字ｙは、０〜１００の整数であることができ、下付き添字ｚは、０又は１の値を持つことができる。
【００３７】
本出願人の発明の別の実施形態では、上記の可変部分は、次であることができる：
Ｒ単位は、Ｃ２〜Ｃ１２のアルキレン、−（Ｒ１Ｏ）ｘＲ１−、及びこれらの混合物から成る群から選択されることができ、式中Ｒ１は、Ｃ２〜Ｃ３のアルキレン及びこれらの混合物であることができ；
Ｘは、少なくとも１つの主鎖窒素が四級化又は酸化されていることを条件として、水溶性アニオンであることができ、
Ｅ単位は、−（Ｒ１Ｏ）ｘＢであることができ、式中
Ｒ１は、Ｃ２〜Ｃ３のアルキレン及びこれらの混合物であることができ；そして
Ｂは、水素、−（ＣＨ２）ｑ−ＳＯ３Ｍ、−（ＣＨ２）ｐＣＯ２Ｍ、及びこれらの混合物であることができ；
Ｍは、電荷バランスを満足するのに十分な量の水素又は水溶性カチオンであることができ；そして
下付き文字ｐは、１〜６の整数であることができ、下付き文字ｑは、０であることができ、下付き文字ｒは、０又は１の値を持つことができ、下付き文字ｗは、０又は１の値を持つことができ、下付き文字ｘは、１〜１００の整数であることができ、下付き文字ｙは、０〜１００の整数であることができ、下付き文字ｚは、０又は１の値を持つことができる。
【００３８】
本出願人の発明のさらに別の態様では、Ｂが、水素、−（ＣＨ２）ｑ−ＳＯ３Ｍ、及びこれらの混合物であることを除いて、全ての可変部分は直前に記載した通りであることができる。
【００３９】
追加の好適な変性ポリアミン類としては、式（Ｘ）を有する変性ポリアミン類が挙げられる：
【化１２】
2009523852.tif 000013
式中、ＲはＣ６〜Ｃ２０の直鎖又は分枝鎖のアルキレン、及びこれらの混合物であることができ；式（Ｘ）のＸは、電気的中性を提供するのに十分な量で存在するアニオンであることができ；式（Ｘ）のｎ及び下付き添字ｎは、等しい値を持つことができ、且つ０〜４の整数であることができ；式（Ｘ）のＲ１は、式（ＩＸ）を有する末端保護（capped）されたポリアルキレンオキシ単位であることができ：
【化１３】
2009523852.tif 000014
ここで、式（ＩＸ）のＲ２は、Ｃ２〜Ｃ４の直鎖又は分枝鎖アルキレン、及びこれらの混合物であることができ；式（ＩＸ）の下付き添字ｘは、主鎖窒素に結合したアルキレンオキシ単位の平均数を表し、このような添字は約１〜約５０の値を持つことができ、本出願人の発明の別の態様では、このような添字は約１５〜約２５の値を持つことができ；式（ＩＸ）の少なくとも１つのＲ３部分はアニオン性末端保護基（capping unit）であることができ、式（ＩＸ）の残りのＲ３部分は、水素、Ｃ１〜Ｃ２２のアルキレンアリール、アニオン性末端保護基（capping unit）、中性末端保護基（caooing unit）、及びこれらの混合物を含む群から選択されることができ；式（Ｘ）の少なくとも１つのＱ部分は、Ｃ７〜Ｃ３０の置換又は非置換のアルキレンアリール、及びこれらの混合物を含む群から選択される疎水性四級化単位であることができ、式（Ｘ）のあらゆる残りのＱ部分は、未反応窒素上の孤立電子対、水素、Ｃ１〜Ｃ３０の置換又は非置換の直鎖又は分枝鎖のアルキル、又はＣ３〜Ｃ３０の置換又は非置換のシクロアルキル、及びこれらの混合物を含む群から選択されることができる。
【００４０】
本出願人の発明のさらに別の態様では、式Ｘ中のＲがＣ６〜Ｃ２０の直鎖アルキレン、並びにこれらの混合物であることができること、及び式（ＩＸ）中のＲ２がＣ２〜Ｃ４の直鎖アルキレン、並びにこれらの混合物であることができることを除いて、式Ｘ及びＸＩの全ての可変部分が同じである。
【００４１】
好適な変性ポリアミン類の例としては、次の構造を有する変性ポリアミン類が挙げられる。アルキレンオキシ単位を含有する全てのポリマー類に関して、アルキレンオキシ単位の平均数又は統計的分布のみが既知となることが理解される。したがって、いかに「しっかりと」又はいかに「厳密に」ポリアミンがアルコキシル化されるかに応じて、平均値は実施形態により変化してもよい。
【化１４】
2009523852.tif 000015
【００４２】
本明細書に開示されているような好適な変性ポリアミン類は、本出願の実施例に開示されているプロセス又は方法に従って製造されてもよい。
【００４３】
有用なｐＨ緩衝剤としては、有機酸類、無機酸類及びこれらの混合物から成る群から選択される材料が挙げられる。有用な有機酸類としては、有機カルボン酸、ポリカルボン酸及びこれらの混合物から成る群から選択される有機酸類が挙げられる。一般的に、その有機酸類は、好ましくは約８０（約８０ダルトン以下の当量を有する。好適な有機酸類の例としては、次のものが挙げられる：アジピン酸、アスパラギン酸、カルボキシメチルオキシマロン酸、カルボキシメチルオキシコハク酸、クエン酸、グルタル酸、ヒドロキシエチルイミノ二酢酸、イミノ二酢酸、マレイン酸、リンゴ酸、マロン酸、オキシ二酢酸、オキシジコハク酸、コハク酸、スルファミン酸、酒石酸、酒石酸−ジコハク酸、酒石酸−モノコハク酸及びこれらの混合物。有用な無機酸類としては、塩酸、硫酸、リン酸、及びこれらの混合物から成る群から選択される無機酸類が挙げられる。一般的に、無機は有機酸と共に使用される。
【００４４】
有用なキャリアは、水を含んでもよい。たとえば、有用なキャリアの１つは水である。
【００４５】
前記の有用な材料は、次のように入手されてもよい：有用なキレート化剤は、米国ウイスコンシン州ミルウォーキー（P.O. Box 2060, Milwaukee, WI 53201, USA）のアルドリッチ（Aldrich）から；有用な色抜き剤は、アクゾノーベル（Akzo Nobel）（アルンヘム（ Velperweg 76, 6824 BM Arnhem P.O. Box 9300, 6800 SB Arnhem）から入手されてもよい；有用な懸濁剤としては、米国テネシー州チャタヌーガ（Chattanooga）のアルコ・ケミカル（Alco Chemical）から入手可能なアルコスパース（Alcosperse）（登録商標）７２５及びアルコスパース（Alcosperse）（登録商標）７４７並びに米国ペンシルバニア州スプリングハウス（Spring House）のローム＆ハース社（Rohm & Haas Co.）から入手可能なアクソ−ル（Acusol）（登録商標）４８０Ｎ、日本国大阪の日本触媒（Nippon Shokubai Co., Ltd）により供給されるＩＭＳ及びＰＬＳポリマー並びに米国ニュージャージー州のＢＡＳＦコーポレーション（BASF Corporation）により供給されるソカラン（Sokalan）（登録商標）ＥＳ８３０５、ソカラン（Sokalan）（登録商標）ＨＰ２５、及びデンソタン（Densotan）（登録商標）Ａが挙げられ；有用なｐＨ緩衝剤は、米国ウイスコンシン州ミルウォーキー（P.O. Box 2060, Milwaukee, WI 53201, USA）のアルドリッチ（Aldrich）より入手されてもよい。
【００４６】
補助物質
本出願人の繊維用有益組成物のある特定の実施形態が、本明細書に挙げた１つ以上の補助材料を、そのような補助剤が本発明の目的にとって必須でないとして含有しない場合でも、他の実施形態は、以下に例示する補助剤を１つ以上含有してもよいことがある。そのような補助剤は、たとえば洗濯性能を補助する、又は強めるため、又は、香料、着色材、染料などの場合のように、そのような組成物の審美性を改質するために、本明細書に開示された繊維用有益組成物に組み入れられてもよい。これらの追加の構成成分の正確な性質及びその混入レベルは、繊維用有益組成物の物理的形態、並びにそれらが使用及び適用される操作性質に依存する。有用な補助剤は、漂白活性化剤、界面活性剤、ビルダー、染料移行阻害剤、分散剤、酵素及び酵素安定剤、触媒性金属コンプレックス、高分子分散剤、粘土及び土除去／再付着防止剤、光沢剤、石鹸泡抑制剤、染料、香料、構造伸縮化剤、織物用柔軟剤、キャリア、ヒドロトロープ、加工助剤及び／又は色素を包含するが、これらに限定されない。
【００４７】
繊維用有益組成物製造プロセス
本発明の繊維用有益組成物は、そのような組成物は必要な材料を組み合わせることによって作られてもよいので、熟練した技術者は、本明細書及び実施例に含まれる教示に従うことによって、該組成物を製造することができる。
【００４８】
そのような繊維用有益組成物の市場的規模の量は、様々な反応容器、およびバッチ式、半回分式及び連続式を含む様々なプロセスを使用して製造され得る。そのような器材は、種々の出所、たとえば、Ｌｏｄｉｇｅ社（ドイツのパーデルボルン（Paderborn））、Ｌｉｔｔｌｅｆｏｒｄ  Ｄａｙ社（米国ケンタッキー州フローレンス（Florence））、Ｆｏｒｂｅｒｇ  ＡＳ（ノルウェーのラルヴィク（Larvik））、Ｇｌａｔｔ  Ｉｎｇｅｎｉｅｕｒｔｅｃｈｎｉｋ  社（ドイツのワイマール（Weimar））、Ｎｉｒｏ（デンマークのセーボルク（Soeborg））、ホソカワ  Ｂｅｐｅｘ（米国ミネソタ州ミネアポリス）、から入手可能である。
【００４９】
使用方法
物品は、本出願人の有益組成物のいずれか又はそれらの混合物で処理されてもよい：
一般的に、防汚処理を含む物品は、ニート形態で又は洗濯若しくは洗浄プロセスの間に、前記有益組成物に接触させられる。接触方法としては、パディング、拭き取り、噴霧及び洗浄が挙げられる。
【００５０】
本明細書に開示されている方法を実行するための有用な機器としては、スポンジ、布、噴霧瓶並びに洗濯機のような洗浄装置及び容器が挙げられる。処理方法は、任意のすすぎ及び／又は乾燥工程を含んでもよい洗浄工程の前、間又は後に、物品を接触させることを含んでもよい。
【００５１】
処理済物品
向上した及び／又は耐久性のある防汚特性を有する繊維製品は、本出願人の有益組成物で前記繊維製品を処理することによって製造できる。処理方法は、本明細書に開示されている方法を包含する。
【実施例】
【００５２】
（実施例１）
【表１】
2009523852.tif 000016
１  ジエチレントリアミン五酢酸、ナトリウム塩
【００５３】
（実施例２）
【表２】
2009523852.tif 000017
１  ジエチレントリアミン五酢酸、ナトリウム塩
２  アクゾノーベル（Akzonobel）より販売
【００５４】
（実施例３）
【表３】
2009523852.tif 000018
１  ジエチレントリアミン五酢酸、ナトリウム塩
２  アクゾノーベル（Akzonobel）より販売
【００５５】
実施例Ｉ〜ＩＩＩの各々に対しては、必要な構成成分を前もって溶解し、ついで標準的なバッチ混合容器中で混合する。
【００５６】
織物処理
実施例１〜３の組成物は、本明細書に記載された方法に従うやり方で、ある位置を処理するために使用される。
【００５７】
本発明の特定の実施形態について説明し記載したが、本発明の精神及び範囲から逸脱することなく、他の様々な変更及び修正がなされうることが、当業者には明らかとなろう。従って、本発明の範囲内にあるそのような全ての変更及び修正は、添付の特許請求の範囲で網羅することとする。
【国際調査報告】
2009523852.tif 000019
2009523852.tif 000020
2009523852.tif 000021